(57)【要約】      （修正有）【課題】１洗剤など洗浄に供しようとする物質を併用せず、水のみで洗浄し得る洗浄水の提供。２少量の水で洗浄し得る洗浄方法の提供。３浴槽を利用する洗浄方法に比較し、水使用量を減量し得る洗浄方法の提供。４浴槽を要しない洗浄方法の提供。【解決手段】生活用品、動物、人体などの洗浄を、洗剤など洗浄に供する物質を併用せず、木竹炭の燃焼によって沸騰させた水のみで行う。その方法は、紙や布などに、前記洗浄水を含ませて拭取る。【選択図】図１
2015016458.tif 000002
【特許請求の範囲】
【請求項１】
生活用品、動物、人体などの洗浄を、洗剤など洗浄に供する物質を併用せず、木竹炭の燃焼によって沸騰させた水のみでなし得ることを特徴とする洗浄水。
【請求項２】
紙や布などに、前記、「請求項１」記載の洗浄水を含ませて拭取る方法によって、洗剤など洗浄に供する物質を併用せず、洗浄せしめることを特徴とする洗浄方法。
【請求項３】
前記、「請求項２」記載の洗浄方法によれば、フェイスタオルを利用し人体を拭取る場合、１枚当たり200CC以下で4〜5枚でなし得るため、1度の拭取りに要する水量が１リットル程度であることからして、従来の入浴に要する200〜300リットル程度の浴槽を利用する洗浄方法に比較し、洗浄にかかる水量を減量し得ることを特徴とする洗浄方法。
【請求項４】
前記、「請求項２〜３」のうち、いずれかに該当する洗浄方法によれば、入浴を要しないことから、浴槽を用いず洗浄し得ることを特徴とする洗浄方法。
【発明の詳細な説明】
【技術分野】
【０００１】
本願発明は、木竹炭の燃焼によって沸騰させた水のみを利用し生活用品並びに動物や人体を洗浄し得る洗浄水並びに洗浄方法に関する。
【背景技術】
【０００２】
「請求項１」に関する背景技術について
洗剤などを併用せず、水のみで洗浄し得る方法が有益であることは言うに及ばぬことであるが、本願発明のように洗剤などを併用せず、木竹炭の燃焼によって沸騰させた水のみで生活用品並びに動物や人体を洗浄し得る方法が周知されている場合は、「請求項１」に記載する洗浄水が利用されているはずであるが、そういう事実がないことからして当該洗浄水の背景技術は認められない。
【０００３】
「請求項２」に関する背景技術について
雑巾などに水を含ませ拭取る拭き掃除やタオルなどに水を含ませ身体を拭取ることは周知させているが、水のみを含ませ拭取る方法では落ちないことも知られている。また、水のみを含ませ拭取ることで洗浄し得るならば、有益であることも言うに及ばぬことであるが、洗浄に要する洗剤などが販売されていることやそれらを利用し洗浄に供する入浴による洗浄方法が一般化され各家庭に入浴用浴槽などの設備が整えられていることからしても「請求項２」に記載する洗浄方法の背景技術は認められない。
【０００４】
「請求項３」に関する背景技術について
従来の入浴に用いる浴槽が200〜300リットルであることから、洗浄に要する水量が1リットル程度であるならば、洗浄に要する水の減量において有益であることも言うに及ばぬことである。しかしながら、各家庭に浴槽などの入浴施設が整えられ、それに伴う水量が利用されていることからしても「請求項３」に記載する洗浄方法の背景技術は認められない。
【０００５】
「請求項４」に関する背景技術について
浴槽など入浴施設を要せずとも洗浄が可能であれば、場所に限定されず洗浄せしめるため、有益であることも言うに及ばぬことである。しかしながら、各家庭に浴槽などの入浴施設が整えられていることからしても「請求項４」に記載する洗浄方法の背景技術は認められない。
【０００６】
従来の洗浄に供しようとする物質と入浴設備などの一例を参考として以下に記載する。なお、本願発明は木竹炭を利用し沸騰させた水のみで洗浄することや洗浄方法自体が異なるため比較説明を除外する。
【先行技術文献】
【非特許文献】
【０００７】
【非特許文献１】商品名  ELECOM ディスプレイ用クリーニングリキッド
【非特許文献２】トイレ、洗面台、浴室がセットになったユニットバスやシステムバス及び浴室内に風呂桶やシャワーなどがセットされたものやそれぞれを固体で設置するものが提供されている。
【発明の概要】
【発明が解決しようとする課題】
【０００８】
洗剤など洗浄に供しようとする物質を併用せず、水のみで洗浄し得る洗浄水の提供。
【０００９】
少量の水で洗浄し得る洗浄方法の提供。
【００１０】
浴槽を利用する洗浄方法に比較し、水使用量を減量し得る洗浄方法の提供。
【００１１】
浴槽を要しない洗浄方法の提供。
【課題を解決するための手段】
【００１２】
前記、段落「０００８」記載に関する解決手段について
本願発明は、木竹炭の燃焼によって沸騰させた水を利用することを解決手段とする。
【００１３】
前記、段落「０００９」記載に関する解決手段について
前記、段落「００１２」に記載する水を利用し拭取ることを解決手段とする。
【００１４】
前記、段落「００１０」記載に関する解決手段について
前記、段落「００１２〜００１３」記載事項を解決手段とする。
【００１５】
前記、段落「００１１」記載に関する解決手段について
前記、段落「００１２〜００１３」記載事項を解決手段とする。
【発明の効果】
【００１６】
洗浄に供しようとする洗剤や大量の洗浄水及び浴槽を要しないことである。
【図面の簡単な説明】
【００１７】
【図１】洗浄水の製造方法の一例を示す概要図である。
【図２】本願発明が提案する洗浄方法の一例を示す概要図である。
【発明を実施するための形態】
【００１８】
「請求項１」記載の実施例について「図１」を参照し説明する。
【実施例１】
【００１９】
本願発明では、図示しない地下水や湧水など塩素などが添加されない天然水を従来利用されている七輪  1  で図示されない木竹炭の何れかを燃焼させ、やかん  2  を用い沸騰させた水を採用している。
【００２０】
本願発明では、塩素などを添加しない天然水が容易に得られるために利用しているものであってこれに限定されない。その理由として、塩素などが添加された水道水が飲料水として供することが認められているものを沸騰させたうえに汚れの拭取りに利用することにあるが、アトピー性皮膚炎など皮膚に何らかの障害を有しない健康体であっても本願発明のように、添加物を含まない天然水を利用することが望ましいものである。
【００２１】
望ましいとする理由として、肌の重要な成分である皮脂膜、天然保湿因子、セラミドなどが皮膚のバリア機能を支えているため、化学物質がそれらを破壊し皮膚に何らかの障害を来たすことが懸念されることにある。
【００２２】
さらにまた、人間の胎児では体重の約90パーセント、新生児では約75パーセント、子どもでは約70パーセント、成人では約60〜65パーセント、老人では50〜55パーセントを水が占めていることが知られている。つまりそれは、水は人の生存自体や健康に必要不可欠な良質媒体であることからして、細胞や人体に含有する成分に悪影響を与えることがないことの証左でもある。
【００２３】
本願発明で利用する七輪  １は、珪藻土で作られている一般的な製品であるが、大量に沸騰させることを考慮するとこれに限定されない。木竹炭が燃焼することや珪藻土で作られた七輪  １が高温になることで赤外線が放射されることは周知されているため、本願発明では、製造工程において人体に良質な赤外線放射を受けることを考慮し利用しているものである。
【００２４】
そのような意味においては、熱せられることで赤外線を発するセラミック製（ここでは陶器など水を入れ沸騰させるに要するものをいう）の容器に天然水を入れ沸騰させることがベストであるがそれにも限定されない。それは本願発明において鉄製のやかん  ２であっても洗浄効果が得られるためである。
【００２５】
また、木竹炭の燃焼状態も常時完全燃焼がベストであるが限定されない。ただし、木竹炭を追加しつつ燃焼時間が長くなると灰の堆積が発生するため、七輪  1  の吸気口より送風を行い適宜、完全燃焼に留意することが望ましい。
【００２６】
沸騰状態については、やかん  2  内部の水の温度が沸点である100度に達し沸騰による気泡や蒸気が充分に確認できる状態が得られれば、沸騰状態の時間に限定されず使用に供することが可能である。
【００２７】
本願発明では、洗浄体験者全員から洗浄効果を認められ洗浄水の提供があれば、洗浄を続ける意思を得ている。現在のところ、一部の体験者が木竹炭と七輪を購入し自前で調達し洗浄に供しているが、洗浄効果は認めるものの製造にかかる手間が普及の隘路になっているようである。
【００２８】
それでは、以下に「請求項２」記載の実施例について「図２」を参照し説明する。
【実施例２】
【００２９】
先ず、本願発明を利用する必要最小限の方法の一例を説明する。図示しない洗浄水が入れられたやかん  ２とタオル  ３と拭取った後のタオルを収納するタオル入れ容器  ４を準備する。洗浄に供する場合、タオル  ３に200cc程度の洗浄水を満遍なく含ませ動物や人体を拭取ることを4〜５回程度繰り返すことによって、石鹸などを併用せず洗浄し得るものである。
【００３０】
洗浄に供する場所も住居や自動車内、屋内外など何処にも限定されず、それぞれの利用者の意思に応じて、洗浄しようと時に供し得るものである。たとえばそれは、スポーツをしている時のひと時に体を拭取ることも可能であり、キャンプ場やドライブの休憩時など、それぞれの利用者に応じ、場所や時に限定されず洗浄に供し得るものである。
【００３１】
皮膚に何らかの障害がある場合は、洗剤などが充分にすすぎ落とされたタオル  ３に本願発明による適温適量の水を湿しタオルで身体を軽くふき取ることでも皮膚に悪影響を与えず爽快に洗浄し得るものである。
【００３２】
なお、本願発明人が健常者や寝たきりの方々を被験者として洗浄効果を確認したところ、全員から洗浄効果が認められている。
【００３３】
被験者の意見によると、ペットに限らず人体の毛髪であっても洗剤などを併用しないため、リンスなども不要とのことである。ペットの拭取りは大小に応じ異なるものの小型であれば、1〜2枚のタオルと200〜400cc程度の洗浄水、大型であっても2〜4枚のタオルと400〜800cc程度、人間の場合、子供で大型のペット程度で大人の場合、4〜5枚のタオルと800〜1000cc程度の利用が望ましい結果を得ている。
【００３４】
一日あたりの洗浄頻度も多量に汗をかく夏季に外出を繰り返す度に洗浄を繰り返しても何ら支障のないものであるため、就寝前や起床後など洗浄を望む場合、気軽に行い得るものである。またそれは、身体を大量の水で洗い流すことや浴槽に浸からないことから、疲労なく洗浄し得るものである。
【００３５】
それはまた、起床後に顔を洗うことも習慣化されていることであるが、化粧を落とすことを目的とする洗顔であってもクレンジング剤を併用せず洗浄に供し得るものである。
【００３６】
またそれは、生活用品であっても適量の洗浄水をタオルや布巾などに含ませ拭取ることで洗浄剤を併用せず供し得るものである。
【００３７】
それでは、以下に「請求項３」記載の実施例について説明する。
【実施例３】
【００３８】
本願発明は、前記「請求項２」に関する説明にあるとおり、ペットや人体の場合、一度の洗浄に要する水量は、0.2〜1.0リットル程度であることからして、洗浄に要する水量を減量し得ることは明らかである。またそれは、タオルなどに洗浄水を含ませることで容易に何時でも洗浄し得るため、一日当たり5回の洗浄をしても5リットル程度であることからして、洗浄水を減量し得るものである。
【００３９】
たとえば、従来の入浴方法で一度の水使用量が一人当たり200リットル利用する場合と本願発明のように、同水使用量、1リットルとすれば、200対1の関係であっても1年365日、10億人が利用すると総使用量は莫大な差を生じることは明らかである。
【００４０】
またそれは、洗浄時に併用した石鹸などの化学物質を不要化することで環境に及ぼす影響も計り知れないものである。
【００４１】
それでは、以下に「請求項４」記載の実施例について説明する。
【実施例４】
【００４２】
本願発明は、前記「請求項２」に関する説明にあるとおり、場所と時を選ばず洗浄し得るため、入浴施設やそれに供するインフラ施設も不要とするものである。
【産業上の利用可能性】
【００４３】
木竹炭の燃焼による沸騰させた水を利用し得るため利用可能性を有する。
【符号の説明】
【００４４】
１  七輪  
２  やかん
３  タオル
４  タオル入れ容器
【図１】
2015016458.tif 000003
【図２】
2015016458.tif 000004